(57)【要約】  本発明のイオン源（１０）は、試料をイオン化するとともに、生成したイオンをパルス的に加速するための、押し出し電極（１）、引き出し電極（２）、及び引き込み電極（３）を備え、上記押し出し電極（１）および引き込み電極（３）の少なくとも一つはイオンの進行方向とは反対方向に湾曲したくぼみを持つ曲面形状を有する。  これにより、イオンを時間的・空間的に収束させて出力することが可能な小型イオン源、及び当該小型イオン源を備えた小型で検出分解能・検出感度が良好な飛行時間型質量分析装置を提供できるようになった。
2010109907.tif 000002
【特許請求の範囲】
【請求項１】
試料をイオン化するとともに、当該イオン化したイオンを加速するための第１の電極および第２の電極を備え、
上記第１の電極および上記第２の電極は、上記イオンの進行方向に対し、上記第１の電極、上記第２の電極の順に配置されており、
少なくとも上記第１の電極が、上記イオンの進行方向とは反対方向に湾曲したくぼみを有した形状であることを特徴とするイオン源。
【請求項２】
試料をイオン化するとともに、当該イオン化したイオンを加速するための第１の電極、第２の電極、および第３の電極を備え、
上記第１の電極および上記第２の電極が、上記イオンの進行方向に対し、上記第１の電極、上記第２の電極の順に配置されているとともに、上記第３の電極が、上記第１の電極と上記第２の電極との間に配置されており、
上記第１の電極と上記第３の電極との少なくとも一つが、上記くぼみを有した形状であることを特徴とするイオン源。
【請求項３】
試料をイオン化するとともに、当該イオン化したイオンを真空中で運動させ、質量電荷比に応じて分離および検出することにより得られた質量スペクトルを用いて当該試料を分析する質量分析装置であって、
上記イオン化のために、請求項１または２に記載のイオン源を備えていることを特徴とする質量分析装置。
【請求項４】
上記質量分析装置は、上記イオンの飛行時間差を用いて上記分離および検出を行う飛行時間型質量分析装置であり、当該飛行時間型質量分析装置は、扇形電場を有し、上記イオンが当該扇形電場にてエネルギーを選択される飛行時間型質量分析装置であることを特徴とする請求項３に記載の質量分析装置。
【発明の詳細な説明】
【技術分野】
【０００１】
本発明は、湾曲したくぼみを有した形状（曲面形状）の電極を有し、イオンを生成し当該イオンを時間的・空間的に収束させて出力することが可能なイオン源、およびそれを備える質量分析装置に関する。
【背景技術】
【０００２】
質量分析装置では、イオン源でイオンを生成し、当該イオンを真空中で運動させ電磁気力あるいは飛行時間差等により上記イオンを質量電荷比に応じて分離する質量分離部に導入する。イオン源では、イオンを効率よく生成し、質量分離部に向けて空間的に収束させて効率よく出力することが重要である。また、上記飛行時間差を用いた飛行時間型質量分析装置の場合、イオン源は、パルス的に（任意の一定時間）イオンを出力する必要があるため、空間的な収束だけでなく時間的な収束も重要となる。空間的な収束は検出感度に影響を与え、時間的な収束は検出分解能に影響を与える。【０００３】
飛行時間型質量分析装置に用いられるイオン源としては、２段加速法（非特許文献１参照）、タイムラグ法、および直交加速法のような時間的な収束を行うもの、また、引き出し電極（詳細は後述）にピンホールを形成するなどして空間的な収束を行うものが存在するが、時間的・空間的双方の収束を行うものは存在しない。よって従来は、押し出し電極（詳細は後述）および引き出し電極が無限に広い平行平板電極であれば平行な一様な場を生成することができるため、押し出し電極および引き出し電極をそのように構成することで、つまりイオン源のサイズを大きくすることで、時間的・空間的双方の収束を一応は満たすイオン源を実現していた。【０００４】
ところで、質量分析装置は、分析科学、バイオサイエンス、薬学、医学、環境科学、および宇宙科学をはじめとした様々な分野において必要不可欠の分析機器として幅広く用いられている。これまでは、研究機関に大型の装置を設置して利用するのが一般的であったが、近年は分析現場に装置を持ち込んで分析するという利用法が増加しており、それに伴って装置の可搬性が求められてきている。それゆえに、本発明者らは飛行時間型質量分析装置の小型化に尽力しており（非特許文献２および３参照）、そのためにイオン源を従来のサイズより小さく形成する必要があった。その結果、イオン源において時間的・空間的双方の収束を満たすことが困難となった。以下、この点について図５および図６を用いて説明しておく。【０００５】
図５は、従来のサイズより小さく形成したイオン源であるイオン源１１０の構造を概略的に示した図であって、図５（ａ）中の参照符号Ａおよび図５（ｂ）中の参照符号Ｂはそれぞれイオンの軌道を示している。イオン源１１０は、上記２段加速法を用いたイオン源である。【０００６】
イオン源１１０は、大略的には、イオンを生成し収束させて出力するための３個の電極と、電子線を出射する電子銃（不図示）とを備えている。この３個の電極は、図面向かって左側より、押し出し電極１０１、引き出し電極１０２、および引き込み電極１０３と称する。押し出し電極１０１は、イオン生成領域１０４の密閉性およびイオン源１１０の小型化のために図示のようにカップ状に形成されている。引き出し電極１０２は、イオンの通過のためにメッシュ状に形成されている。引き込み電極１０３は、イオンの通過のために孔が形成されている。電子銃より出射される電子線は、押し出し電極１０１と引き出し電極１０２とで囲まれ、イオンが生成される領域であるイオン生成領域１０４内へ導入される。当該導入が可能なように、カップ状に形成されている押し出し電極１０１の両側面部には、電子線が通過する孔（不図示）が形成されている。【０００７】
イオン源１１０は、押し出し電極１０１および引き出し電極１０２に同電位の電圧を印加するとともに引き込み電極１０３を０Ｖ（一例であって、この電位に限られるわけではない）として、押し出し電極１０１および引き出し電極１０２と引き込み電極１０３との間に電位差を生じさせて、イオン生成領域１０４内でイオンを生成する。その後、引き込み電極１０３は０Ｖのままとするとともに、押し出し電極１０１、引き出し電極１０２、および引き込み電極１０３間にそれぞれ電位差が生じるように電圧を印加する。イオン生成領域１０４内で生成されたイオンは、押し出し電極１０１および引き出し電極１０２により形成された電場によって、引き出し電極１０２と引き込み電極１０３との間の加速領域へと引き出される。上記加速領域へと引き出されたイオンは、加速されつつ、引き込み電極１０３の孔から出射される。なお、イオンの加速時、押し出し電極１０１は、上述のようにパルス的にイオンを出力させる必要があるため、パルス電圧が印加される。【０００８】
以上のように、イオン源１１０では、２段階でイオンを加速させることにより同時に加速した、イオン源内での初期位置の異なるイオンを特定の場所に同時に到着させることができる。また、押し出し電極１０１および引き出し電極１０２にそれぞれ印加する電圧を適切に調整することにより上記特定の場所を任意の位置に変更することができる。【０００９】
従来のサイズより小さく形成したイオン源１１０では、まず、図５（ａ）に示すように、従来の平行平板と同様である等電位線がほぼ平行な条件を設定した場合には、引き出し可能な領域が狭くなり、得られるイオン量が減少し検出されるピーク強度が小さくなる。一方、図５（ｂ）に示すように、多くのイオンを引き出し可能な条件に設定すると、等電位線の湾曲によりイオンの時間収束が悪くなりピーク幅が大きくなる。つまり、ピーク強度とピーク幅との双方を同時に最適な値とすることができない。【００１０】
なお、上述のエネルギーがセレクションされる状態は、本発明者らが採用している飛行時間型質量分析装置が、イオン源から出力されたイオンを、飛行距離を伸ばすために同一空間を複数回周回させるマルチターン型であって（非特許文献２および３参照）、イオン源の後方に扇形電場が存在するためである。扇形電場が存在しない場合は、図示していないが、ピーク強度およびピーク幅ともに大きくなる状態が観測されることになる。
【先行技術文献】
【特許文献】
【００１１】
【特許文献１】米国特許出願公開第５７４２０４９号明細書（１９９８年４月２１日公開）
【非特許文献】
【００１２】
【非特許文献１】W. C. Wiley andI. H. McLaren, 「Time-of-Flight Mass Spectrometer withImprovedResolution」, THE REVIEW OF SCIENTIFICINSTRUMENTS, 1955, Vol.26, No.12, p.1150-1157
【非特許文献２】Michisato Toyoda,Daisuke Okumura, Morio Ishihara and Itsuo Katakuse, 「Multi-turnTime-of-Flight Mass Spectrometers with Electrostatic Sectors」, J. Mass Spectrom., 38 (2003), 1125-1142.
【非特許文献３】市原敏雄、他５名，「手のひらサイズのマルチターン飛行時間型質量分析計「ＭＵＬＴＵＭ−Ｓ」の製作」，J. Mass Spectrom. Soc. Jpn，２００７年，Ｖｏｌ．５５，Ｎｏ．６，ｐ．３６３−３６８
【発明の概要】
【発明が解決しようとする課題】
【００１３】
上述のように、従来、飛行時間型質量分析装置に用いられるイオン源は、時間的・空間的双方の収束を行えるものが存在せず、イオン源のサイズを大型化することで理想的な状態を作り出していたために、小型化することによりその理想的な状態を維持できなくなったという問題がある。【００１４】
本発明は、上記の問題点を鑑みてなされたものであり、その目的は、装置の小型化が可能であって、イオンを生成し当該イオンを時間的・空間的に収束させて出力することが可能なイオン源、およびそれを備える質量分析装置を提供することにある。
【課題を解決するための手段】
【００１５】
本発明に係るイオン源（必要に応じて「第１イオン源」と称する）は、上記の課題を解決するために、試料をイオン化するとともに、当該イオン化したイオンを加速するための第１の電極および第２の電極を備え、上記第１の電極および上記第２の電極は、上記イオンの進行方向に対し、上記第１の電極、上記第２の電極の順に配置されており、少なくとも上記第１の電極が、上記イオンの進行方向とは反対方向に湾曲したくぼみを有した形状であることを特徴としている。【００１６】
上記の構成によれば、本発明に係るイオン源は、少なくとも第１の電極がイオンの進行方向とは反対方向に湾曲したくぼみを有した形状であることにより、イオン加速の際に最適なポテンシャル分布を形成することができ、湾曲した等電位面上にあるイオンに対してそれぞれの加速経路において時間的な等長性を与えて時間収束させつつ、多くのイオンを引き出すことができる。それゆえ、従来生じていた、ピーク強度とピーク幅との双方を同時に最適な値とすることができないという問題を解消し、イオンを時間的・空間的に収束させて、かつ、効率よく（出力するイオン量を大幅に向上させて）出力することが可能となる。【００１７】
また、第１の電極および第２の電極が上記くぼみを有した形状であることにより、上記効果がより一層高まる。【００１８】
以上により、上記イオン源は、装置の小型化が可能であって、イオンを生成し当該イオンを時間的・空間的に収束させて出力することが可能なイオン源を提供することができるという効果を奏する。【００１９】
本発明に係るイオン源は、上記の課題を解決するために、試料をイオン化するとともに、当該イオン化したイオンを加速するための第１の電極、第２の電極、および第３の電極を備え、上記第１の電極および上記第２の電極が、上記イオンの進行方向に対し、上記第１の電極、上記第２の電極の順に配置されているとともに、上記第３の電極が、上記第１の電極と上記第２の電極との間に配置されており、上記第１の電極と上記第３の電極との少なくとも一つが、上記くぼみを有した形状であることが好ましい。【００２０】
本発明に係るイオン源は、上記第１イオン源と比較して第３の電極をさらに備え、上記第１の電極と上記第３の電極との少なくとも一つが上記くぼみを有した形状であることによって、上記第１イオン源が奏する上記効果がより一層高まる。【００２１】
本発明に係る質量分析装置は、上記の課題を解決するために、試料をイオン化するとともに、生成したイオンを真空中で運動させ、質量電荷比に応じて分離および検出することにより得られた質量スペクトルを用いて当該試料を分析する質量分析装置であって、上記イオン化のために、上記イオン源を備えていることを特徴としている。【００２２】
また、本発明に係る質量分析装置は、上記イオンの飛行時間差を用いて上記分離および検出を行う飛行時間型質量分析装置であり、当該飛行時間型質量分析装置は、扇形電場を有し、上記イオンが当該扇形電場にてエネルギーを選択される飛行時間型質量分析装置であることが好ましい。【００２３】
上記の構成によれば、本発明に係る質量分析装置は、性能を維持したまま小型化が可能な上記イオン源を備えているため、小型で高性能な質量分析装置を実現することができるという効果を奏する。
【発明の効果】
【００２４】
本発明に係るイオン源（第１イオン源）は、試料をイオン化するとともに、当該イオン化したイオンを加速するための第１の電極および第２の電極を備え、上記第１の電極および上記第２の電極は、上記イオンの進行方向に対し、上記第１の電極、上記第２の電極の順に配置されており、少なくとも上記第１の電極が、上記イオンの進行方向とは反対方向に湾曲したくぼみを有した形状であるを特徴としている。【００２５】
上記の構成によれば、本発明に係るイオン源は、少なくとも第１の電極がイオンの進行方向とは反対方向に湾曲したくぼみを有した形状であることにより、イオン加速の際に最適なポテンシャル分布を形成することができ、湾曲した等電位面上にあるイオンに対してそれぞれの加速経路において時間的な等長性を与えて時間収束させつつ、多くのイオンを引き出すことができる。それゆえ、従来生じていた、ピーク強度とピーク幅との双方を同時に最適な値とすることができないという問題を解消し、イオンを時間的・空間的に収束させて、かつ、効率よく（出力するイオン量を大幅に向上させて）出力することが可能となる。【００２６】
以上により、上記イオン源は、装置の小型化が可能であって、イオンを生成し当該イオンを時間的・空間的に収束させて出力することが可能なイオン源を提供することができるという効果を奏する。【００２７】
また、本発明に係るイオン源は、上記第１イオン源と比較して第３の電極をさらに備え、上記第１の電極および上記第２の電極が、上記イオンの進行方向に対し、上記第１の電極、上記第２の電極の順に配置されているとともに、上記第３の電極が、上記第１の電極と上記第２の電極との間に配置されており、上記第１の電極と上記第３の電極との少なくとも一つが、上記くぼみを有した形状であることが好ましい。【００２８】
本発明に係るイオン源は、上記第１イオン源と比較して第３の電極をさらに備え、上記第１の電極と上記第３の電極との少なくとも一つが上記くぼみを有した形状であることによって、上記第１イオン源が奏する上記効果がより一層高まる。また特に，上記第２の電極と対になってイオンを加速する電極が上記くぼみを有した形状であることが重要であるので，上記第３の電極が上記くぼみを有した形状である形態を含む場合に，上記効果がより一層高まる。また，１つの電極よりは複数の電極が上記くぼみを有した形状であることで，上記効果がより一層高まる。【００２９】
また、本発明に係る質量分析装置は、試料をイオン化するとともに、生成したイオンを真空中で運動させ、質量電荷比に応じて分離および検出することにより得られた質量スペクトルを用いて当該試料を分析する質量分析装置であって、上記イオン化のために、上記イオン源を備えていることを特徴としている。【００３０】
上記の構成によれば、本発明に係る質量分析装置は、性能を維持したまま小型化が可能な上記イオン源を備えているため、小型で高性能な質量分析装置を実現することができるという効果を奏する。
【図面の簡単な説明】
【００３１】
【図１】本発明の実施形態に係るイオン源の構造を概略的に示した図である。
【図２】本発明の実施形態に係る質量分析装置の構造を概略的に示したブロック図である。
【図３】（ａ）は、図５に示す従来のイオン源内のポテンシャル分布を示す図であり、（ｂ）は、図１に示したイオン源内のポテンシャル分布を示す図である。
【図４】図１に示したイオン源の各実施例を示しており、当該実施例に係るイオン源の構造を概略的に示した図である。
【図５】従来のイオン源の構造を概略的に示した図である。
【発明を実施するための形態】
【００３２】
本発明の実施形態について、図１〜図４に基づいて説明すると以下の通りである。
【００３３】
図１は、本発明の実施形態に係るイオン源１０の構造を概略的に示した図である。図２は、本発明の実施形態に係る質量分析装置５０の構造を概略的に示したブロック図である。
【００３４】
質量分析装置５０は、大略的には、図２に示すように、試料をイオン化するイオン源１０と、生成したイオンを真空中で運動させ、電磁気力あるいは飛行時間差等によりそれらのイオンを質量電荷比に応じて分離分析する分析部２０と、分離されたイオンを検出するとともに、検出されたデータを解析処理して得られた質量スペクトルを用いて上記試料を分析する検出／データ解析部３０とを備えている。分析部２０は、例えばリフレクトロン型、上記飛行時間差を用いた飛行時間型であって、扇形電場を有し、イオンが当該扇形電場にてエネルギーを選択される飛行時間型、もしくは当該飛行時間型であって、イオンを同一飛行空間を複数回周回させて上記分離および検出を行うマルチターン飛行時間型（非特許文献２および３参照）などで構成される。
【００３５】
イオン源１０は、大略的には、図１に示すように、試料をイオン化するとともに、生成したイオンをパルス的に加速するための、押し出し電極（第１の電極）１、引き出し電極（第３の電極）２、および引き込み電極（第２の電極）３と、３個の円筒電極からなる静電レンズ電極５と、イオン源１０とイオン源１０より後段の装置とを接続するための接続電極６と、電子線を出射する電子銃７とを備えている。押し出し電極１、引き出し電極２、引き込み電極３、静電レンズ電極５、および接続電極６は、この順で配置されており、この向きがイオンの進行方向である。
【００３６】
静電レンズ電極５は、イオンの空間収束を高めることができるもので、当該電極がない形態も可能である。また、イオン源１０は、２段加速法を用いたイオン源であるが、１段加速法を用いたイオン源であってもよい。１段加速法とは、押し出し電極と引き込み電極との２つの電極により、試料をイオン化するとともに、生成したイオンをパルス的に加速するものである。また，さらに多段の（例えば，３段，４段）加速法を用いたイオン源であってもよい。この場合，引き出し電極２と引き込み電極３との間に，加速領域４ａの電場を制御するための電極（不図示）を何段の加速法とするかに基づき少なくとも１つ配置することになる。
【００３７】
電子銃７より出射される電子線は、押し出し電極１と引き出し電極２とで囲まれ、イオンが生成される領域であるイオン生成領域４内へ導入される。当該導入が可能なように、カップ状に形成されている押し出し電極１の両側面部には、電子線が通過する孔が形成されている。
【００３８】
押し出し電極１は、イオン生成領域４の密閉性およびイオン源１０の小型化のためにカップ状に形成されている。引き出し電極２は、イオンの通過のためにメッシュ状に形成されている。なお、引き出し電極２は、メッシュ状に形成されているだけでなく、イオンが通過する孔が形成されているものでもよい。引き込み電極３は、イオンの通過のための孔が形成されている。なお、引き込み電極３の孔は、極小の孔、いわゆるピンホールであってもよく、その場合レンズ効果による収束作用が期待できる。押し出し電極１・引き出し電極２は、イオン生成領域４内で生成されたイオンを、引き出し電極２と引き込み電極３との間の、このイオンを加速するための領域である加速領域４ａに押し出す・引き出すという機能を有していると表現できる。また、引き込み電極３は、加速領域４ａで加速されたイオンを引き込み電極３の後段の領域へ引き込むという機能を有していると表現できる。
【００３９】
ここで着目すべきは、本実施形態では、カップ状に形成した押し出し電極１の底部、引き出し電極２、および引き込み電極３を、イオンの進行方向とは反対方向に湾曲したくぼみを有した形状（曲面形状）としたことである。この構造により、イオン生成領域４内および加速領域４ａ内に最適なポテンシャル分布を形成することができ、湾曲した等電位面上にあるイオンに対してそれぞれの加速経路において時間的な等長性を与えて時間収束させつつ、多くのイオンを引き出すことができる。それゆえ、従来生じていた、ピーク強度とピーク幅との双方を同時に最適な値とすることができないという問題を解消し、イオンを時間的・空間的に収束させて、かつ、効率よく（引き出し効率を大幅に向上させて）出力することが可能となる。よって、イオン源１０は、装置の小型化が可能であって、イオンを生成し当該イオンを時間的・空間的に収束させて出力することが可能なイオン源を提供することができる。
【００４０】
なお、イオンを時間的に収束させるためには、イオン生成領域４内の様々な位置で生成されたイオンが引き出されるまでの、時間的な等長性がみたされていることが必要であり、イオンを空間的に収束させるためには、レンズ効果を有しており、かつフォーカス点が引き込み電極３の位置に調整可能であることが必要である。上記最適なポテンシャル分布とは、このような状態を満たす形状のポテンシャル分布と表現できる。また、上記最適なポテンシャル分布の形状は、等電位線が引き込み電極３の孔に対して同心円のような湾曲を持つ形状とも表現できる。
【００４１】
図３（ａ）は、上述した従来のイオン源１１０内のポテンシャル分布を示す図であり、図３（ｂ）は、イオン源１０内のポテンシャル分布を示す図である。図３（ａ），（ｂ）は、ポテンシャル強度に応じて着色したものであり、赤色で着色した部分が最もポテンシャル強度が高い部分である。同図から明らかであるように、従来のイオン源１１０の加速領域と比較して、イオン源１０内の加速領域４ａにおいて等電位線が湾曲しており、それぞれの加速経路に時間的な等長性を与えることに寄与している。また，イオン生成領域４内においても時間および空間収束に最適なポテンシャル分布を形成している。
【００４２】
上記くぼみを有した形状の電極は、具体的には、押し出し電極１のみと、引き出し電極２のみ（後述する実施例１）と、押し出し電極１および引き出し電極２（後述する実施例２）と、押し出し電極１、引き出し電極２、および引き込み電極３といった組合せで設けることになる。一つの電極のみ上記くぼみを有した形状とするよりは、多数の電極を当該形状としたほうが、上述した効果がより一層高まる。
【００４３】
イオン源１０は、押し出し電極１および引き出し電極２に同電位の電圧を印加するとともに引き込み電極３を０Ｖ（一例であって、この電位に限られるわけではない）として、押し出し電極１および引き出し電極２と引き込み電極３との間に電位差を生じさせて、イオン生成領域４内でイオンを生成する。その後、引き込み電極３は０Ｖのままとするとともに、押し出し電極１、引き出し電極２、および引き込み電極３間にそれぞれ電位差が生じるように電圧を印加する。イオン生成領域４内で生成されたイオンは、押し出し電極１および引き出し電極２により形成された電場によって加速領域４ａへと引き出され、この加速領域４ａにおいて加速されて引き込み電極３を通過する。引き込み電極３を通過したイオンは、静電レンズ電極５によってさらに空間的に収束されて、接続電極６を経て後段の分析部２０へ導入される。
【００４４】
なお、イオンの加速時、押し出し電極１には、パルス的にイオンを出力させる必要があるため、パルス電圧が印加される。ただし、この形態に限らず、イオン化をパルス的に行ってもよい（例えばパルスレーザでイオン化する）。また、イオン化は、上述した電子イオン化法に限られるわけではない。
【００４５】
イオン源１０では、上述のように２段階でイオンを加速させることにより、同時に加速した初期位置が異なるイオンを特定の場所に同時に到着させることができる。また、押し出し電極１および引き出し電極２にそれぞれ印加する電圧を適切に調整することにより上記特定の場所を任意の位置に変更することができる。
【００４６】
以上のように、本実施形態に係るイオン源１０は、試料をイオン化するとともに、生成したイオンをパルス的に加速するための、押し出し電極１、引き出し電極２、および引き込み電極３の特定の組合せが、イオンの進行方向とは反対方向に湾曲したくぼみを有した形状である。この構造により、イオン生成領域４内および加速領域４ａ内に最適なポテンシャル分布を形成することができ、湾曲した等電位面上にあるイオンに対してそれぞれの加速経路において時間的な等長性を与えて時間収束させつつ、多くのイオンを引き出すことができる。それゆえ、従来生じていた、ピーク強度とピーク幅との双方を同時に最適な値とすることができないという問題を解消し、装置の小型化が可能であって、イオンを時間的・空間的に収束させて、かつ、効率よく出力することが可能なる。
【００４７】
また、イオン源１０を備えている本実施形態に係る質量分析装置５０は、イオン源１０が上述のように性能を維持したまま小型化が可能であるから、小型で高性能な質量分析装置を実現することができる。質量分析装置の小型化が実現できれば、従来にない質量分析装置の可搬性が実現され、このような質量分析装置は、分析科学、バイオサイエンス、薬学、医学、環境科学、および宇宙科学をはじめとした様々な分野において必要不可欠の分析機器としてより幅広くより重宝されることになるであろう。
【００４８】
次に、イオン源１０の実施例について、図４に基づいて説明する。図４は、イオン源１０の実施例を示しており、当該実施例に係るイオン源の構造を概略的に示した図である。なお、説明の便宜上、図１にて示したイオン源１０の部材と同じ機能を有する部材については、同じ符号を付記し、その説明を省略する。また、本実施例では、分析部２０は、上記マルチターン飛行時間型で構成している。
【００４９】
（実施例１）
図４（ａ）は、上述したイオン源１０を示している。図４（ｂ）は、イオン源１０と比較すれば上記くぼみを有した電極を引き出し電極２のみとした（押し出し電極は、上記くぼみ無しの押し出し電極１ａ）イオン源１０ａを示している。なお、図４（ａ）中の参照符号ａおよび図４（ｂ）中の参照符号ｂは、それぞれイオンの軌道を示している。
【００５０】
図４（ａ）に示すイオン源１０では、押し出し電極１を半径１５ｍｍの曲面形状（曲率Ｒ＝１５ｍｍ）とするとともに、引き出し電極２を半径６．５ｍｍの曲面形状（曲率Ｒ＝６．５ｍｍ）としている。また、押し出し電極１−引き出し電極２間を６．５ｍｍ、引き出し電極２−引き込み電極３間を９ｍｍとし、イオン加速時に押し出し電極１−引き出し電極２間で２．１ｋＶの電位差が生じるように、また、引き出し電極２−引き込み電極３間で３．６ｋＶの電位差が生じるように、それぞれ電圧を印加する。また、引き出し電極２は，直径０．５ｍｍの孔を多数あけたメッシュ構造であり，引き込み電極３の孔は，直径を２ｍｍとしている。この条件の場合、図示のように、引き出されたイオンは、図５と比較すればより明らかであるが、時間的・空間的双方の収束を同時に実現している。
【００５１】
（実施例２）
また、図４（ｂ）に示すイオン源１０ａでは、引き出し電極２を半径６．５ｍｍの曲面形状（曲率Ｒ＝６．５ｍｍ）としている。また、押し出し電極１ａ−引き出し電極２間を６．５ｍｍ、引き出し電極２−引き込み電極３間を９ｍｍとし、イオン加速時に押し出し電極１−引き出し電極２間で１．７５ｋＶの電位差が生じるように、また、引き出し電極２−引き込み電極３間で、３．７ｋＶの電位差が生じるように、それぞれ電圧を印加する。また、引き出し電極２は，直径０．５ｍｍの孔を多数あけたメッシュ構造であり，引き込み電極３の孔は，直径を２ｍｍとしている。この条件の場合、図示のように、引き出されたイオンは、図５と比較すればより明らかであるが、時間的・空間的双方の収束を同時に実現している。
【００５２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５３】
本発明に係るイオン源は性能を維持したまま小型化が可能であるため、当該イオン源を備えている本発明に係る質量分析装置は、小型で高性能な質量分析装置を実現することができる。上記質量分析装置は、分析科学、バイオサイエンス、薬学、医学、環境科学、および宇宙科学をはじめとした様々な分野において必要不可欠の分析機器として幅広く利用することができる。
【符号の説明】
【００５４】
１、１０１    押し出し電極（第１の電極）
２、１０２    引き出し電極（第３の電極）
３、１０３    引き込み電極（第２の電極）
４、１０４    イオン生成領域
１０          イオン源
５０          質量分析装置
【図１】
2010109907.tif 000003
【図２】
2010109907.tif 000004
【図３】
2010109907.tif 000005
【図４】
2010109907.tif 000006
【図５】
2010109907.tif 000007
【国際調査報告】
2010109907.tif 000008
2010109907.tif 000009
2010109907.tif 000010
2010109907.tif 000011
2010109907.tif 000012
2010109907.tif 000013
2010109907.tif 000014
2010109907.tif 000015